(57)【要約】【課題】どんなに遅い速度の力で動作させても一定の発電量を確保することができ、確実なスイッチング動作を行うことが可能なスイッチ発電機構及びスイッチ発電方法を提供する。【解決手段】スイッチ発電機構を少なくとも、第１可動部品と、第２可動部品と、第１可動部品に連結される第１変形部品と、発電機とから形成し、スイッチ発電機構の外部から第２可動部品に押圧力を伝達して、第１可動部品と第２可動部品の互いの少なくとも一部を連動させ、第１可動部品を一定量回転させて第１変形部品を一定量変形し、第１可動部品を一定量回転させた後に第１変形部品の変形を解放し、変形からの解放により第１可動部品を一定量回転させて発電機で電力を発生して発電を行う。【選択図】図１Ａ
2017142048.tif 000002
【特許請求の範囲】
【請求項１】
外部からの力の伝達により一定量回転する第２可動部品と、
前記第２可動部品の前記回転により前記第２可動部品と連動して一定量回転する第１可動部品と、
前記第１可動部品の前記回転により一定量変形し、前記第１可動部品が一定量回転したときに変形が解放される第１変形部品と、
前記第１変形部品の変形が解放されることにより前記第１可動部品が一定量回転し、この第１可動部品の前記回転が伝達される回転伝達機構と、
前記第１可動部品の前記回転が伝達されることにより電力を発生して発電を行う発電機とを備えることを特徴とするスイッチ発電機構。
【請求項２】
前記第２可動部品に連結されており、外部からの力の伝達により前記第２可動部品が前記一定量回転したときに一定量変形すると共に前記力の伝達が解消されることにより変形が解放される第２変形部品と、
前記第２変形部品の変形の解放により逆方向に一定量回転する前記第２可動部品と、
前記第２可動部品の前記回転により前記第２可動部品と連動して一定量逆方向に回転する前記第１可動部品と、
前記第１可動部品の前記逆方向への一定量回転により一定量変形し、前記第１可動部品が一定量回転したときに変形が解放される前記第１変形部品と、
前記第１可動部品の前記逆方向への回転が伝達され且つ前記第１変形部品の前記変形の解放により前記第１可動部品が前記逆方向とは反対の方向へ一定量回転したときの回転が伝達される回転伝達機構と、
前記第１可動部品の前記各回転が伝達されることにより電力を発生して発電を行う発電機とを備えてなる請求項１に記載のスイッチ発電機構。
【請求項３】
スイッチ発電機構を形成する部品が、前記第２可動部品の一部を除いてボックスに収納されており、前記第２可動部品の一部がボックスから突出している請求項１又は２に記載のスイッチ発電機構。
【請求項４】
第１可動部品と、第２可動部品と、前記第１可動部品に連結される第１変形部品と、発電機とを備えるスイッチ発電機構を用い、
前記スイッチ発電機構の外部から前記第２可動部品に力が伝達されて、前記第１可動部品と前記第２可動部品の互いの少なくとも一部が連動し、前記第１可動部品が一定量回転して前記第１変形部品が一定量変形し、
前記第１可動部品が一定量回転した後に前記第１変形部品の変形が解放され、
変形からの解放により前記第１可動部品が一定量回転し、この第１可動部品の一定量回転が前記発電機に伝達されて前記発電機が電力を発生し発電を行うことを特徴とするスイッチ発電方法。
【請求項５】
前記第２可動部品に第２変形部品が連結されており、
前記力により前記第２可動部品が一定量可動して前記第２変形部品が一定量変形し、
前記力の伝達が解消されることにより前記第２変形部品の変形が解放されて、前記第１可動部品と前記第２可動部品の互いの少なくとも一部が連動し、前記第１可動部品が一定量逆方向に回転して前記第１変形部品が一定量変形し、前記第１可動部品が一定量逆方向に回転した後に前記第１変形部品の変形が解放され、
前記第１変形部品の前記変形の解放により前記第１可動部品が前記逆方向とは反対の方向へ一定量回転し、
前記第１可動部品の一定量の逆方向回転が前記発電機に伝達されて前記発電機が電力を発生し発電を行ない且つ前記第１可動部品の前記逆方向とは反対の方向の一定量の回転が前記発電機に伝達されて前記発電機が電力を発生し発電を行なう請求項４に記載のスイッチ発電方法。
【請求項６】
前記第１可動部品が、伝動車の周囲の少なくとも一部に歯が形成された歯車であり、中心軸を中心に回転可能に軸支されており、
前記第２可動部品が、扇形の伝動車の周囲の少なくとも一部に歯が形成された扇形歯車であり、中心軸を中心に回転可能に軸支されており、
前記第１変形部品がコイル形状のスプリングであり、一方の端部が前記第２可動部品の中心軸に連結され、他方の端部が前記第１可動部品の中心を除く箇所に連結されており、
前記第２変形部品もコイル形状のスプリングで且つボックスに収められており、一方の端部が前記第２可動部品の中心を除く箇所に連結され、他方の端部がボックスに連結されており、
前記第１可動部品の中心軸には第１傘歯車が軸支され、前記第１可動部品と連結して回転可能に軸支されており、
前記発電機のシャフトには第２傘歯車が固定され、第１傘歯車と第２傘歯車が互いに歯が噛み合うように連結されており、
前記第２可動部品に前記力が伝達されて前記第２可動部品が前記一定量回転して可動し、中心を除く箇所も一定量可動し、前記第２変形部品が前記一定量伸びて変形し、弾性力による位置エネルギーが前記第２変形部品に蓄積し前記力により保持されると共に、
前記第１可動部品の歯と前記第２可動部品の歯が噛み合って連動し、前記第１可動部品が前記一定量回転して中心を除く箇所も一定量回転し、前記第１変形部品が前記一定量伸びて変形し、前記第１可動部品と前記第２可動部品の互いの歯の噛み合いにより、弾性力による位置エネルギーが前記第１変形部品に蓄積し保持され、
前記第１可動部品が前記一定量回転した後に、前記第１可動部品と前記第２可動部品の互いの歯の噛み合いが外れ、前記第１変形部品の変形が解放されて収縮が発生し前記第１可動部品が一定量逆方向に回転し、第１傘歯車も回転すると共に第２傘歯車が連動して回転し、シャフトが回転して前記発電機が電力を発生して発電を行い、
更に前記力の伝達が解消されることにより、前記第２変形部品の変形が解放されて収縮が発生し前記第２可動部品が一定量逆方向に回転し、前記第１可動部品の歯と前記第２可動部品の歯が噛み合って連動し、前記第１可動部品が前記一定量逆方向に回転して中心を除く箇所も一定量逆方向に回転し、前記第１変形部品が一定量伸びて変形し弾性力による位置エネルギーが前記第１変形部品に蓄積すると共に、第１傘歯車も回転し第２傘歯車が連動して回転し、シャフトが回転して前記発電機が電力を発生して発電を行い、
更に、前記第１可動部品が前記一定量逆方向に回転した後に、前記第１可動部品と前記第２可動部品の互いの歯の噛み合いが外れ、前記第１変形部品の変形が解放されて収縮が発生し前記第１可動部品が一定量回転し、第１傘歯車も回転すると共に第２傘歯車が連動して回転し、シャフトが回転して前記発電機が電力を発生して発電を行う請求項４又は５に記載のスイッチ発電方法。
【発明の詳細な説明】
【技術分野】
【０００１】
本発明は、スイッチ発電機構及びスイッチ発電方法に関する。
【背景技術】
【０００２】
従来は使用されずに捨てられていた身近な環境に存在する、微弱な運動エネルギー（人力、振動、圧力、熱、太陽光等）を利用して、電力を発電できる自己発電型の環境発電（エナジーハーベスティング：Energy Harvesting）が注目されている。【０００３】
照明等の各種電気機器や装置には、無線通信装置を用いた遠隔操作によって動作を制御可能としているものが有る。この種の無線通信装置を制御する無線スイッチには乾電池等の電源が内蔵されており、電源から供給される電力によって無線通信装置の動作を制御している。【０００４】
一方、環境発電によって電力を発電し、その電力を使って様々な装置に動作指示を無線通信で送ることで、電源の交換や充電等の作業が不要なスイッチ発電機構の形成が要求されている。具体的には、照明等の機器に点灯や消灯の指示を無線通信で送る際、電源に依らず使用者のスイッチング動作で発電させて電力が得られる、自己発電型のスイッチ発電機構が実現されている。【０００５】
例えば非特許文献１記載のスイッチ発電機構は、スイッチを押す動作（スイッチング動作）の運動エネルギーで発電させ、照明に点灯や消灯の指示を無線通信で送っている。
【先行技術文献】
【非特許文献】
【０００６】
【非特許文献１】エネルギーハーベスティング、[online]、［平成２８年２月９日］、インターネット<URL:https://www.enocean.com/jp/technology/energy-harvesting/>
【発明の概要】
【発明が解決しようとする課題】
【０００７】
このようなスイッチ発電機構の一例として、コイルとマグネットを備え、更にボイスコイルが固定されていると共に、マグネットとスイッチ部品は連結されている構成の物が挙げられる。このスイッチ部品を使用者が押すことで、固定されているボイスコイルの中をマグネットが動き、そのマグネットの動きに伴う運動エネルギーによって発電を行う。従って発電される電力量は、ボイスコイル内を動くマグネットの速さ、即ち、スイッチ部品を押す速さに大きく影響される。詳述すると、発電電圧はマグネットの動きによりボイスコイル内の磁束が変化する速さに比例する。また電力（Ｗ）は、次式即ち、Ｗ＝Ｖ２／Ｒ（但し、Ｖは電圧を、Ｒはボイスコイルの抵抗をそれぞれ示す）で表せるため、ボイスコイル内のマグネット（若しくはマグネット内のボイスコイル）の移動速度が遅い場合、発電電圧が低く十分な電力を発電出来なかった。【０００８】
更に、使用者によってスイッチを押す速さにはばらつきが有る為、発電量にもばらつきが発生し、必要な電力量を確保できない事態も有った。【０００９】
本発明は上記課題に鑑みてなされたものであり、どんなに遅い速度の力で動作させても一定の発電量を確保することができ、確実なスイッチング動作を行うことが可能なスイッチ発電機構及びスイッチ発電方法を提供することを目的とする。
【課題を解決するための手段】
【００１０】
前記課題は、以下の本発明により解決される。即ち、本発明のスイッチ発電機構は、
外部からの力の伝達により一定量回転する第２可動部品と、
前記第２可動部品の前記回転により前記第２可動部品と連動して一定量回転する第１可動部品と、
前記第１可動部品の前記回転により一定量変形し、前記第１可動部品が一定量回転したときに変形が解放される第１変形部品と、
前記第１変形部品の変形が解放されることにより前記第１可動部品が一定量回転し、この第１可動部品の前記回転が伝達される回転伝達機構と、
前記第１可動部品の前記回転が伝達されることにより電力を発生して発電を行う発電機とを備えて構成されるものである。【００１１】
本発明のスイッチ発電機構は、
前記第２可動部品に連結されており、外部からの力の伝達により前記第２可動部品が前記一定量回転したときに一定量変形すると共に前記力の伝達が解消されることにより変形が解放される第２変形部品と、
前記第２変形部品の変形の解放により逆方向に一定量回転する前記第２可動部品と、
前記第２可動部品の前記回転により前記第２可動部品と連動して一定量逆方向に回転する前記第１可動部品と、
前記第１可動部品の前記逆方向への一定量回転により一定量変形し、前記第１可動部品が一定量回転したときに変形が解放される前記第１変形部品と、
前記第１可動部品の前記逆方向への回転が伝達され且つ前記第１変形部品の前記変形の解放により前記第１可動部品が前記逆方向とは反対の方向へ一定量回転したときの回転が伝達される回転伝達機構と、
前記第１可動部品の前記各回転が伝達されることにより電力を発生して発電を行う発電機とを備えることが好ましい。本発明において、スイッチ発電機構を形成する部品が、前記第２可動部品の一部を除いてボックスに収納されていることが好ましい。この場合において、前記第２可動部品の一部がボックスから突出するように形成される。【００１２】
本発明のスイッチ発電方法は、
第１可動部品と、第２可動部品と、前記第１可動部品に連結される第１変形部品と、発電機とを備えるスイッチ発電機構を用い、
前記スイッチ発電機構の外部から前記第２可動部品に力が伝達されて、前記第１可動部品と前記第２可動部品の互いの少なくとも一部が連動し、前記第１可動部品が一定量回転して前記第１変形部品が一定量変形し、
前記第１可動部品が一定量回転した後に前記第１変形部品の変形が解放され、
変形からの解放により前記第１可動部品が一定量回転し、この第１可動部品の一定量回転が前記発電機に伝達されて前記発電機が電力を発生し発電を行うように構成したものである。【００１３】
本発明のスイッチ発電方法は、
前記第２可動部品に第２変形部品が連結されており、
前記力により前記第２可動部品が一定量可動して前記第２変形部品が一定量変形し、
前記力の伝達が解消されることにより前記第２変形部品の変形が解放されて、前記第１可動部品と前記第２可動部品の互いの少なくとも一部が連動し、前記第１可動部品が一定量逆方向に回転して前記第１変形部品が一定量変形し、前記第１可動部品が一定量逆方向に回転した後に前記第１変形部品の変形が解放され、
前記第１変形部品の前記変形の解放により前記第１可動部品が前記逆方向とは反対の方向へ一定量回転し、
前記第１可動部品の一定量の逆方向回転が前記発電機に伝達されて前記発電機が電力を発生し発電を行ない且つ前記第１可動部品の前記逆方向とは反対の方向の一定量の回転が前記発電機に伝達されて前記発電機が電力を発生し発電を行うように構成することが好ましい。【００１４】
また本発明のスイッチ発電方法は、
前記第１可動部品が、伝動車の周囲の少なくとも一部に歯が形成された歯車であり、中心軸を中心に回転可能に軸支されており、
前記第２可動部品が、扇形の伝動車の周囲の少なくとも一部に歯が形成された扇形歯車であり、中心軸を中心に回転可能に軸支されており、
前記第１変形部品がコイル形状のスプリングであり、一方の端部が前記第２可動部品の中心軸に連結され、他方の端部が前記第１可動部品の中心を除く箇所に連結されており、
前記第２変形部品もコイル形状のスプリングで且つボックスに収められており、一方の端部が前記第２可動部品の中心を除く箇所に連結され、他方の端部がボックスに連結されており、
前記第１可動部品の中心軸には第１傘歯車が軸支され、前記第１可動部品と連結して回転可能に軸支されており、
前記発電機のシャフトには第２傘歯車が固定され、第１傘歯車と第２傘歯車が互いに歯が噛み合うように連結されており、
前記第２可動部品に前記力が伝達されて前記第２可動部品が前記一定量回転して可動し、中心を除く箇所も一定量可動し、前記第２変形部品が前記一定量伸びて変形し、弾性力による位置エネルギーが前記第２変形部品に蓄積し前記力により保持されると共に、
前記第１可動部品の歯と前記第２可動部品の歯が噛み合って連動し、前記第１可動部品が前記一定量回転して中心を除く箇所も一定量回転し、前記第１変形部品が前記一定量伸びて変形し、前記第１可動部品と前記第２可動部品の互いの歯の噛み合いにより、弾性力による位置エネルギーが前記第１変形部品に蓄積し保持され、
前記第１可動部品が前記一定量回転した後に、前記第１可動部品と前記第２可動部品の互いの歯の噛み合いが外れ、前記第１変形部品の変形が解放されて収縮が発生し前記第１可動部品が一定量逆方向に回転し、第１傘歯車も回転すると共に第２傘歯車が連動して回転し、シャフトが回転して前記発電機が電力を発生して発電を行い、
更に前記力の伝達が解消されることにより、前記第２変形部品の変形が解放されて収縮が発生し前記第２可動部品が一定量逆方向に回転し、前記第１可動部品の歯と前記第２可動部品の歯が噛み合って連動し、前記第１可動部品が前記一定量逆方向に回転して中心を除く箇所も一定量逆方向に回転し、前記第１変形部品が一定量伸びて変形し弾性力による位置エネルギーが前記第１変形部品に蓄積すると共に、第１傘歯車も回転し第２傘歯車が連動して回転し、シャフトが回転して前記発電機が電力を発生して発電を行い、
更に、前記第１可動部品が前記一定量逆方向に回転した後に、前記第１可動部品と前記第２可動部品の互いの歯の噛み合いが外れ、前記第１変形部品の変形が解放されて収縮が発生し前記第１可動部品が一定量回転し、第１傘歯車も回転すると共に第２傘歯車が連動して回転し、シャフトが回転して前記発電機が電力を発生して発電を行うように構成することが好ましい。
【発明の効果】
【００１５】
本発明に依れば第１変形部品を含むことで、第１変形部品の変形量を一定量まで蓄積してからその変形を解放して、発電機で発電を行うことが可能となる。従って、どんなに遅い速度の力で第２可動部品が押されてスイッチ発電機構が動作しても一定の発電量を確保することができ、確実なスイッチング動作を行うことが可能となる。【００１６】
更に、本発明は第２変形部品を含むことで、第２変形部品の変形量を一定量まで蓄積してからその変形を解放して、発電機で発電を行うことが可能となる。従って、どんなに遅い速度の力で第２可動部品が押されてスイッチ発電機構が動作しても一定の発電量を確保することができ、確実なスイッチング動作を行うことが可能となる。【００１７】
更に、本発明において第２変形部品の変形の解放は、第２可動部品への力の伝達が解消されることで行われる。即ち、第２可動部品が押されていない状態でもスイッチ発電機構は一定の発電量を確保することが可能となる。従って、自己発電が可能な動作状態を増加出来るため、より確実なスイッチング動作の実現と共に、スイッチ発電機構の使用用途の拡大を図ることも可能となる。【００１８】
更に、本発明において第１と第２の可動部品を歯車として構成し、これらの歯車をスイッチ発電機構の形成部品に用いることで、互いの歯を噛み合わせてスイッチ発電機構を動作させることが可能となる。従って、動作損失の発生を抑制又は防止することが出来るため、どのような用途や使用状況でも一定の発電量を確実に確保することができ、確実なスイッチング動作を行うことが可能となり好ましい。【００１９】
更に、本発明においてスイッチ発電機構は、前記歯車やコイル形状のスプリングや、発電機というような簡易な部品のみで形成されている。従って、耐候性や信頼性に優れ、どのような用途や使用状況でも確実に一定の発電量を確保し、確実なスイッチング動作を行うことが可能なスイッチ発電機構を形成することが出来る。【００２０】
更に、本発明においてスイッチ発電機構を形成する部品を、第２可動部品の一部を除いてボックスに収めることにより、第１可動部品と第２可動部品間の伝達部分の防塵性や防水性を確保することが可能となる。また、歯車部分の防錆効果も得られる。従って、スイッチ発電機構の耐候性や信頼性をより一層向上させることができ、より確実なスイッチング動作を実現することが可能となる。
【図面の簡単な説明】
【００２１】
【図１Ａ】本発明の実施例に係るスイッチ発電機構の、初期状態を示す模式図である。
【図１Ｂ】図１Ａの第１可動部品と第２可動部品のみを抜粋して図示した模式図である。
【図２Ａ】本発明の実施例に係るスイッチ発電機構において、第２可動部品が押されて第１変形部品が最大量変形された状態を示す模式図である。
【図２Ｂ】図２Ａの第１可動部品と第２可動部品のみを抜粋して図示した模式図である。
【図３Ａ】本発明の実施例に係るスイッチ発電機構において、第１変形部品の変形が解放された状態を示す模式図である。
【図３Ｂ】図３Ａの第１可動部品と第２可動部品のみを抜粋して図示した模式図である。
【図４Ａ】本発明の実施例に係るスイッチ発電機構において、スイッチ発電機構の外部の力が解消されて、第２変形部品の変形が解放された状態を示す模式図である。
【図４Ｂ】図４Ａの第１可動部品と第２可動部品のみを抜粋して図示した模式図である。
【発明を実施するための形態】
【００２２】
本実施の形態の第一の特徴は以下のとおりである。即ち、スイッチ発電機構は電源を含まずスイッチング動作により発電するものである。スイッチ発電機構は、少なくとも、第１可動部品と、第２可動部品と、第１可動部品に連結される第１変形部品と、発電機とから形成される。本実施形態のスイッチ発電機構は、その外部から第２可動部品に力（押圧力）が伝達されて、第１可動部品と第２可動部品の互いの少なくとも一部が連動し、第１可動部品が一定量回転して第１変形部品が一定量変形し、第１可動部品が一定量回転した後に第１変形部品の変形が解放され、変形からの解放により第１可動部品が一定量回転し、これにより発電機が電力を発生して発電を行うように構成されている。
【００２３】
この構成に依れば、第１変形部品の変形量を一定量まで蓄積してからその変形を解放し第１可動部品を一定量回転させることにより、発電機で発電を行うことが可能となる。従って、どんなに遅い速度の力で第２可動部品が押されてスイッチ発電機構が動作しても一定の発電量を確保することができ、確実なスイッチング動作を行うことが可能となる。
【００２４】
なお本発明において発電機とは、少なくともコイルとマグネットを含み、電力を発生させて発電する装置を指すものとする。
【００２５】
本実施形態の第二の特徴は以下のとおりである。即ち、スイッチ発電機構は第２可動部品に第２変形部品が連結されており、押圧力により第２可動部品が一定量可動して第２変形部品が一定量変形するように構成されている。押圧力の伝達が解消されることにより第２変形部品の変形が解放されて、第１可動部品と第２可動部品の互いの少なくとも一部が連動し、第１可動部品が一定量逆方向に回転して第１変形部品が一定量変形し、第１可動部品が一定量逆方向に回転した後に第１変形部品の変形が解放されるように構成されている。そして第１可動部品が一定量逆方向に回転することと、第１変形部品の変形からの解放により、第１可動部品が一定量回転することにより発電機が電力を発生して発電を行うように構成されている。
【００２６】
本実施形態の構成に依れば、第１変形部品以外に更に第２変形部品を含むことで、第２変形部品の変形量を一定量まで蓄積してからその変形を解放して、発電機で発電を行うことが可能となる。従って、どんなに遅い速度の力で第２可動部品が押されてスイッチ発電機構が動作しても一定の発電量を確保することができ、確実なスイッチング動作を行うことが可能となる。
【００２７】
更に、第２変形部品の変形の解放は、第２可動部品への押圧力の伝達が解消されることで行われる。即ち、第２可動部品が押されていない状態でもスイッチ発電機構は一定の発電量を確保することが可能となる。従って、自己発電が可能な動作状態を増加出来るため、より確実なスイッチング動作の実現と共に、スイッチ発電機構の使用用途の拡大を図ることも可能となる。
【００２８】
なお本発明において、第１可動部品や第２可動部品の回転量、又は第１変形部品や第２変形部品の変形量における「一定量」とは、常に同一の回転量や変形量を意味するものではない。第１、第２可動部品の回転量や第１、第２変形部品の変形量はどの動作時にも常に一定であるとは限らず、異なる場合があり、また回転方向により異なる場合もある。「一定量」とはこのような回転量、変形量の異なる場合も含むものである。
【００２９】
本実施形態の第三の特徴は以下のとおりである。即ち、第１可動部品は、伝動車の周囲の少なくとも一部に歯が形成された歯車であり、中心軸を中心に回転可能に軸支されており、第２可動部品が、扇形の伝動車の周囲の少なくとも一部に歯が形成された扇形歯車であり、中心軸を中心に回転可能に軸支されている。第１変形部品はコイル形状のスプリングであり、一方の端部が第２可動部品の中心軸に連結され、他方の端部が第１可動部品の中心を除く箇所に連結されている。第２変形部品もコイル形状のスプリングで且つボックスに収められており、一方の端部が第２可動部品の中心を除く箇所に連結され、他方の端部がボックスに連結されている。第１可動部品の中心軸には第１傘歯車が軸支され、第１可動部品と連結して回転可能に軸支されており、発電機のシャフトには第２傘歯車が固定されている。本実施形態において、第１傘歯車と第２傘歯車が互いに歯が噛み合うように連結されており、第２可動部品に押圧力が伝達されて第２可動部品が一定量回転して可動し、中心を除く箇所も一定量可動し、第２変形部品が一定量伸びて変形し、弾性力による位置エネルギーが第２変形部品に蓄積し押圧力により保持される。本実施形態において、第１可動部品の歯と第２可動部品の歯が噛み合って連動し、第１可動部品が一定量回転して中心を除く箇所も一定量回転し、第１変形部品が一定量伸びて変形し、第１可動部品と第２可動部品の互いの歯の噛み合いにより、弾性力による位置エネルギーが第１変形部品に蓄積し保持される。第１可動部品が一定量回転した後に、第１可動部品と第２可動部品の互いの歯の噛み合いが外れ、第１変形部品の変形が解放されて収縮が発生し第１可動部品が一定量逆方向に回転し、それにより第１傘歯車が回転する。第１傘歯車の回転によりこの第１傘歯車と噛み合う第２傘歯車が連動して回転し、それによりシャフトが回転して発電機が電力を発生して発電を行なう。更に押圧力の伝達が解消されることにより、第２変形部品の変形が解放されて収縮が発生し第２可動部品が一定量逆方向に回転し、第１可動部品の歯と第２可動部品の歯が噛み合って連動し、第１可動部品が一定量逆方向に回転して中心を除く箇所も一定量逆方向に回転し、それにより第１変形部品が一定量伸びて変形し弾性力による位置エネルギーが第１変形部品に蓄積すると共に、第１傘歯車が回転し第２傘歯車が連動して回転し、シャフトが回転して発電機が電力を発生して発電を行なう。更に、第１可動部品が一定量逆方向に回転した後に、第１可動部品と第２可動部品の互いの歯の噛み合いが外れ、第１変形部品の変形が解放されて収縮が発生し第１可動部品が一定量回転し、第１傘歯車も回転すると共に第２傘歯車が連動して回転し、シャフトが回転して発電機が電力を発生して発電を行う。
【００３０】
以上の構成によれば、伝動車の周囲の少なくとも一部に歯が形成された第１可動部品と、扇形の伝動車の周囲の少なくとも一部に歯が形成された第２可動部品とをスイッチ発電機構の形成部品に用いることで、互いの歯を噛み合わせてスイッチ発電機構を動作させることが可能となる。従って、動作損失の発生を抑制又は防止することが出来るため、どのような用途や使用状況でも一定の発電量を確実に確保することができ、確実なスイッチング動作を行うことが可能となり好ましい。
【００３１】
更に、本実施形態のスイッチ発電機構は、歯車やコイル形状のスプリング、発電機というような簡易な部品のみで形成されている。従って、耐候性や信頼性に優れ、どのような用途や使用状況でも確実に一定の発電量を確保し、確実なスイッチング動作を行うことが可能なスイッチ発電機構を形成することが出来る。
【００３２】
なお第１変形部品における一方の端部の連結位置を、ボックスなどスイッチ発電機構の内部で任意の箇所に変更しても良い。
【００３３】
本実施形態の第四の特徴は、スイッチ発電機構を形成する部品が、第２可動部品の一部を除いてボックスに収められていることである。
【００３４】
本実施形態に依れば、スイッチ発電機構を形成する部品を、第２可動部品の一部を除いてボックスに収めることにより、第１可動部品と第２可動部品間の伝達部分の防塵性や防水性を確保することが可能となる。また、歯車部分の防錆効果も得られる。従って、スイッチ発電機構の耐候性や信頼性をより一層向上させることができ、より確実なスイッチング動作を実現することが可能となる。
【００３５】
以上のスイッチ発電機構は、照明やシャッター等の機器に使用することが可能である。
【００３６】
以下に本発明に係る実施例を説明するが、本発明は以下の実施例に限定されるものではない。
【実施例】
【００３７】
以下、図１Ａ、Ｂ〜図４Ａ、Ｂを参照して本発明に係る実施例のスイッチ発電機構１を説明する。実施例のスイッチ発電機構１は図１Ａに示すように、第１可動部品１ａ、第２可動部品２ａ、第１変形部品１ｂ、第２変形部品２ｂ、第１傘歯車１ｃ、第２傘歯車２ｃ、及び発電機３と云った各部品から形成されている。更に各部品がボックス４に収められていると共に、第２可動部品２ａの一部がボックス４の外部に突出されている。本実施形態において、ボックス４の上面方向を「上方」といい、ボックス４の下面方向を「下方」という。第２可動部品２ａの一部はボックス４の上面よりも上方に突出して突出部を形成し、外部に露出している。外部から力（押圧力）を与えて前記突出部を下方に押し込むことにより第２可動部品２ａが一定量回転するように構成されている。尚、特に図示しないがボックス４の上面には、第２可動部品２ａの一部がボックス４の上面よりも上方に突出できるようにするための開口部が設けられている。【００３８】
第１可動部品１ａは、伝動車の周囲の少なくとも一部に歯７ａが形成された歯車であり、ボックス４に設けられた中心軸ｃ１に回転可能に軸支されている。第２可動部品２ａは、扇形の伝動車の周囲の少なくとも一部に歯７ｂが形成された扇形歯車であり、ボックス４の別箇所に設けられた中心軸ｃ２に回転可能に軸支されている。【００３９】
第１可動部品１ａ及び第２可動部品２ａの歯形は、実施例では共にインボリュート歯形である。インボリュート歯形とすることにより、互いの歯車の中心距離（中心軸ｃ１とｃ２間の直線間隔）が若干変化しても噛み合いが正しく保たれると共に、容易に作製でき、滑りも少ないため好ましい。なお、インボリュート歯形に換えて、サイクロイド歯形に形成することも可能である。【００４０】
第１可動部品１ａ及び第２可動部品２ａの材料は任意に選択可能であり、例えばプラスチックやステンレス、鋼などを用いれば良い。【００４１】
第１変形部品１ｂはコイル形状のスプリングで構成されており、その一方の端部は第２可動部品２ａの中心軸ｃ２に連結され、他方の端部は第１可動部品１ａの中心を除く箇所に連結されている。実施例では、第１可動部品１ａの一構成部品として設けたホルダ５の端部の穴に、第１変形部品１ｂの他方の端部を係止して連結している。ホルダ５は、第１可動部品１ａの中心軸ｃ１に固定されており、第１可動部品１ａと連動して回転可能に軸支されている。【００４２】
更に、第２変形部品２ｂもコイル形状のスプリングで構成されており、その一方の端部は第２可動部品２ａの中心を除く箇所に連結されている。実施例では、第２可動部品２ａの外形形状である扇形から突出した突起部ｐに穴を設け、その穴に第２変形部品２ｂの一方の端部を係止して連結している。更に、第２変形部品２ｂの他方の端部は、ボックス４に連結されている。【００４３】
更に、第１可動部品１ａの中心軸ｃ１には第１傘歯車１ｃが固定され、第１可動部品１ａと連結して回転可能に軸支されている。一方、発電機３のシャフト６の端部には、第２傘歯車２ｃが固定されており、シャフト６と連結して回転可能に構成されている。更に、第１傘歯車１ｃと第２傘歯車２ｃは、互いに歯が噛み合うように連結されている。なお図１Ａ、Ｂ〜図４Ａ、Ｂでは、第１及び第２傘歯車１ｃ、２ｃの歯形の図示は省略している。【００４４】
発電機３は、ハウジング内部に少なくともコイルとマグネットを含むモータであり、更にシャフトの回転と共にコイルとマグネットのどちらかが回転する型式のものである。【００４５】
次に、スイッチ発電機構１における自己発電の動作原理に関して説明する。ボックス４の外部に突出している第２可動部品２ａの一部（突出部）に、スイッチ発電機構１の外部から人力による押圧力または使用用途毎の対象物からの押圧力と云った力が伝達され、第２可動部品２ａが押されて一定量時計方向に回転し可動する（図１Ａ、Ｂ及び図２Ａ、Ｂ参照）。従って、第２可動部品２ａはスイッチ部分として機能し、スイッチング動作により可動する。中心軸ｃ１とｃ２間の直線間隔は、第１可動部品１ａと第２可動部品２ａの互いの歯が噛み合うように設定されている。従って、第２可動部品２ａが回転すると、第１可動部品１ａの歯７ａと第２可動部品２ａの歯７ｂが噛み合って連動する。【００４６】
第２可動部品２ａに力（押圧力）が伝達され続け、第１可動部品１ａと第２可動部品２ａの互いの歯が噛み合わされている間は、第１可動部品１ａは回転し続ける。よって、第１可動部品１ａと第２可動部品２ａの互いの歯の噛み合いが外れるまで、第１可動部品１ａは一定量回転される（実施例の場合、約９０°の反時計回転となる）。【００４７】
第１可動部品１ａの一定量の回転に伴い、ホルダ５も第１可動部品１ａと連動して回転する。従ってホルダ５の端部の穴も約９０°回転し、穴の位置が回動して移動する。一方、第１変形部品１ｂの一方の端部は第２可動部品２ａの中心軸ｃ２に連結されているため、第２可動部品２ａが回転しても連結位置は移動しない。よって中心軸ｃ２が固定端になり、ホルダ５の端部の穴の移動に伴って第１変形部品１ｂは伸長される。ホルダ５の端部の穴は、一定量として約９０°回転するため、第１変形部品１ｂもその約９０°回転に伴った一定量だけ伸びて変形する。第１変形部品１ｂの伸びは、第１可動部品１ａと第２可動部品２ａの互いの歯の噛み合いにより、弾性力による位置エネルギーとして第１変形部品１ｂに蓄積し保持される。【００４８】
第１変形部品１ｂの伸びは、第２可動部品２ａに力が伝達され続けて第１可動部品１ａと第２可動部品２ａの互いの歯が噛み合わされている間は保持される。従って、第１可動部品１ａと第２可動部品２ａの互いの歯の噛み合いが外れる直前での、第１変形部品１ｂの伸びが最大量となる。実施例では、第１可動部品１ａ及びホルダ５が約９０°回転した時点での伸びが最大となる。【００４９】
第１可動部品１ａが一定量（約９０°）回転した後に、図２Ａ、Ｂに示すように第１可動部品１ａと第２可動部品２ａの互いの歯の噛み合いが外れる。すると、第１変形部品１ｂの伸びの変形保持が外され、第１変形部品１ｂの変形が解放されて第１変形部品１ｂに収縮が発生する。第１変形部品１ｂの収縮時も、中心軸ｃ２が固定端になると共に、ホルダ５の端部の穴が移動する。従って第１変形部品１ｂの収縮により、第１可動部品１ａが逆方向（実施例では時計方向に約９０°の回転となる。図２Ａ、Ｂ及び図３Ａ、Ｂを参照。）に一定量回転する。伸びにより第１変形部品１ｂに蓄積されている位置エネルギーの最大値は、第１可動部品１ａの約９０°回転時の伸びに伴う位置エネルギーである。この最大値の位置エネルギーが、収縮によって第１可動部品１ａの一定量の逆方向の回転（約９０°）に変換される。【００５０】
第１可動部品１ａの一定量の逆方向の回転に伴い、第１傘歯車１ｃも一定量だけ逆方向に回転すると共に第２傘歯車２ｃも連動して回転し、シャフト６が一定量だけ回転される。即ち、第１可動部品１ａの前記回転が、第１傘歯車１ｃと第２傘歯車２ｃとからなる回転伝達機構に伝達され、シャフト６が一定量回転する。このように、第１可動部品１ａの前記回転はシャフト６に伝達され、これによりシャフト６が一定量回転する。【００５１】
シャフト６が一定量の回転を行うことで、発電機３内部で電力が発生して発電が行われる。その電力により、スイッチ発電機構１の用途に応じて、別途任意に設置可能な赤外線など無線通信装置を起動することが可能となる。【００５２】
シャフト６の回転量は、第１可動部品１ａの逆方向の回転量、即ち第１変形部品１ｂの伸びの最大値に応じて変わる。よって、第１可動部品１ａと第２可動部品２ａの互いの歯が噛み合うピッチ円の円弧長に伴って、第１変形部品１ｂの伸びの最大値は任意の一定量で設定可能である。従って、シャフト６の回転量も任意の一定量で設定することが出来るため、発電機３による発電量も、第２可動部品２ａに伝わる外部からの力（押圧力）の速度に関係無く一定値に設定可能となる。尚、本実施形態において、回転伝達機構は第１傘歯車１ｃと第２傘歯車２ｃとから構成されるものに限定されず、例えば、平行な２軸に取り付けられた相互に噛み合う一対の歯車からなる平歯車により回転伝達機構を構成してもよい。【００５３】
以上により、スイッチ発電機構１は第１変形部品１ｂを含むことで、第１変形部品１ｂの変形量を一定量まで蓄積してからその変形を解放して、発電機３で発電を行うことが可能となる。従って、どんなに遅い速度の力で第２可動部品２ａが押されてスイッチ発電機構１が動作しても一定の発電量を確保することができ、確実なスイッチング動作を行うことが可能となる。【００５４】
更に、スイッチ発電機構１における自己発電の動作原理に関して説明を続ける。前記外部からの力が伝わり続けることで、第２可動部品２ａは一定量まで回転される。第２可動部品２ａの一定量の回転とは、少なくとも第２変形部品２ｂに伸びに伴う変形が発生するまでの回転であると共に、少なくとも第１可動部品１ａと第２可動部品２ａの互いの歯の噛み合いが外れるまでの回転量を指す（図２Ａ、Ｂ及び図３Ａ、Ｂ参照）。【００５５】
第２可動部品２ａが一定量回転して可動すると、第２可動部品２ａの中心を除く箇所である突起部ｐも一定量可動し、穴の位置が移動する。すると、ボックス４の連結部分が固定端になると共に突起部ｐの穴が移動端となり、その穴の移動に伴い第２変形部品２ｂは伸びて変形する。【００５６】
第２可動部品２ａの一定量の回転に伴い突起部ｐの穴も一定量移動するため、第２変形部品２ｂも穴の移動量に伴った一定量だけ伸びて変形する。第２変形部品２ｂの伸びは、外部からの押圧力が第２可動部品２ａに伝達されている間は保持されるため、弾性力による位置エネルギーが第２変形部品２ｂに蓄積し保持される。【００５７】
次に、第２可動部品２ａへの押圧力の伝達が解消されると、第２変形部品２ｂの変形が解放され収縮する。第２可動部品２ａへの押圧力の伝達が解消される状態とは、スイッチ発電機構１の使用用途にも依るが、例えば使用者が第２可動部品２ａを押すことを止めたり、対象物が取り除かれて対象物からの押圧力が無くなった状態などが挙げられる。【００５８】
第２可動部品２ａへの押圧力の伝達が解消されると、第２変形部品２ｂの伸びの変形保持が外され、第２変形部品２ｂの変形が解放されて第２変形部品２ｂに収縮が発生する。収縮時も、ボックス４との連結部分が固定端になると共に、突起部ｐの穴が移動端となる。従って第２変形部品２ｂの収縮により、第２可動部品２ａは一定量逆方向（実施例では反時計方向の回転となる。図３Ａ、Ｂ及び図４Ａ、Ｂを参照。）に回転する。【００５９】
第２可動部品２ａが一定量逆方向に回転する際に、第１可動部品１ａの歯と第２可動部品２ａの歯が再び噛み合って互いに連動し、第１可動部品１ａが逆方向に回転する。第１可動部品１ａの逆方向の回転量は、第２可動部品２ａの一定量の逆方向回転量、即ち第２変形部品２ｂの一定量の変形に依る。従って、伸びにより第２変形部品２ｂに蓄積されていた位置エネルギーが、収縮によって第１可動部品１ａの一定量の逆方向の回転に変換され、第１可動部品１ａが一定量逆方向に回転する（実施例では時計方向に約９０°の回転となる。図３Ａ、Ｂ及び図４Ａ、Ｂ参照。）。【００６０】
第１可動部品１ａの一定量の逆方向回転に伴いホルダ５も第１可動部品１ａと連動し、ホルダ５の端部の穴の位置も一定量逆方向に回転して約９０°移動する。中心軸ｃ２が固定端になると共にホルダ５の端部の穴の移動に伴い、第１変形部品１ｂは一定量だけ伸びて再度変形する。第１可動部品１ａと第２可動部品２ａの互いの歯の噛み合いにより、第１変形部品１ｂの伸びは弾性力による位置エネルギーとして、第１変形部品１ｂに蓄積される。【００６１】
この第１可動部品１ａの一定量の逆方向の回転に伴い、第１傘歯車１ｃも一定量だけ逆方向に回転すると共に第２傘歯車２ｃも連動して回転し、シャフトが一定量だけ回転されて発電機３内部で電力を発生して発電が行われる。【００６２】
シャフトの回転量は、第１可動部品１ａの一定量の逆方向回転、即ち第２変形部品２ｂの伸びの最大値に応じて変わる。よって、スイッチ発電機構１の外部からの力（押圧力）の伝達量に伴う第２可動部品２ａの回転量（第２可動部品２ａが力により押し込まれる量）に応じて、第２変形部品２ｂの伸びの最大値は任意の一定量で設定可能である。従って、シャフト６の回転量も任意の一定量で設定することが出来るため、発電機３による発電量も、第２可動部品２ａに伝わる外部からの力（押圧力）の速度に関係無く一定値に設定可能となる。【００６３】
以上により、スイッチ発電機構１は第２変形部品２ｂを含むことで、第２変形部品２ｂの変形量を一定量まで蓄積してからその変形を解放して、発電機３で発電を行うことが可能となる。従って、どんなに遅い速度の力（押圧力）で第２可動部品２ａが押されてスイッチ発電機構１が動作しても一定の発電量を確保することができ、確実なスイッチング動作を行うことが可能となる。【００６４】
更に第２変形部品２ｂの変形の解放は、第２可動部品２ａへの押圧力の伝達が解消されることで行われる。即ち、第２可動部品２ａが押されていない状態でもスイッチ発電機構１は一定の発電量を確保することが可能となる。従って、自己発電が可能な動作状態を増加出来るため、より確実なスイッチング動作の実現と共に、スイッチ発電機構１の使用用途の拡大を図ることも可能となる。【００６５】
更に、第１可動部品１ａが一定量逆方向に回転した後に、第１可動部品１ａと第２可動部品２ａの互いの歯の噛み合いが再び外れて（図４Ａ、Ｂ参照）、第１変形部品１ｂの変形が解放されて収縮が発生する。中心軸ｃ２が固定端になりホルダ５の端部の穴が移動するので、第１変形部品１ｂが収縮すると第１可動部品１ａが連動して一定量（約９０°）前記逆方向とは反対の方向即ち、反時計方向に回転する（図１Ａ、Ｂ参照）。このように、伸びにより第１変形部品１ｂに蓄積されていた位置エネルギーが、収縮によって第１可動部品１ａの一定量の反時計方向の回転に変換される。【００６６】
第１可動部品１ａの一定量の反時計方向の回転に伴い、第１傘歯車１ｃも一定量だけ反時計方向に回転すると共に第２傘歯車２ｃも連動して回転し、シャフト６が一定量だけ回転されて発電機３内部で電力を発生して発電が行われる。【００６７】
シャフト６の回転量は、第１可動部品１ａの一定量の反時計方向の回転、即ち第１変形部品１ｂの伸びの最大値に応じて変わる。よって、第１可動部品１ａと第２可動部品２ａの互いの歯が噛み合うピッチ円の円弧長に伴って、第１変形部品１ｂの伸びの最大値は任意の一定量で設定可能である。従って、シャフト６の回転量も任意の一定量で設定することが出来るため、発電機３による発電量も、第２可動部品２ａに伝わる外部からの押圧力の速度に関係無く一定値に設定可能となる。【００６８】
以上により、スイッチ発電機構１は第１変形部品１ｂを含むことで、第１変形部品１ｂの変形量を一定量まで蓄積してからその変形を解放して、発電機３で発電を行うことが可能となる。従って、どんなに遅い速度の力で第２可動部品２ａが押されてスイッチ発電機構１が動作しても、一定の発電量を確保することができ、確実なスイッチング動作を行うことが可能となる。【００６９】
更に、第１可動部品１ａと第２可動部品２ａの互いの歯の、再度の噛み合いに依る第１変形部品１ｂの変形の解放は、第２可動部品２ａへの押圧力の伝達が解消されることで行われる。即ち、第２可動部品２ａが押されていない状態でもスイッチ発電機構１は一定の発電量を確保することが可能となる。従って、自己発電が可能な動作状態を増加出来るため、より確実なスイッチング動作の実現と共に、スイッチ発電機構１の使用用途の拡大を図ることも可能となる。そして、図４Ａから図１Ａの初期状態へと戻る。【００７０】
なお図１Ａ、Ｂ〜図４Ａ、Ｂの実施例では、第１変形部品１ｂにおける一方の端部の連結位置を、第２可動部品２ａの中心軸ｃ２に設定した形態例を説明した。しかしながら例えば、ボックス４などスイッチ発電機構１の内部で任意の箇所に、第１変形部品１ｂにおける一方の端部の連結位置を変更することが可能である。【００７１】
また実施例において、歯車に替えて滑車やマグネットギアを使用しても良い。しかしながら、滑車では滑り損失が発生するおそれがあり、マグネットギアでも動作損失が発生するおそれが有る。一方、歯車をスイッチ発電機構の形成部品に用いることで、互いの歯を噛み合わせてスイッチ発電機構を動作させることが可能となる。従って、動作損失の発生を抑制又は防止することが出来るため、どのような用途や使用状況でも一定の発電量を確実に確保することができ、確実なスイッチング動作を行うことが可能となり好ましい。【００７２】
更に、本実施形態ではスイッチ発電機構１を歯車やコイル形状のスプリング、発電機というような簡易な部品のみで形成している。従って、耐候性や信頼性に優れ、どのような用途や使用状況でも確実に一定の発電量を確保し、確実なスイッチング動作を行うことが可能なスイッチ発電機構を形成することが出来る。【００７３】
更に、スイッチ発電機構１を形成する部品を、第２可動部品２ａの一部を除いてボックス４に収めることにより、第１可動部品１ａと第２可動部品２ａ間の伝達部分の防塵性や防水性を確保することが可能となる。また、歯車部分の防錆効果も得られる。従って、スイッチ発電機構１の耐候性や信頼性をより一層向上させることができ、より確実なスイッチング動作を実現することが可能となる。
【符号の説明】
【００７４】
１            スイッチ発電機構
１ａ          第１可動部品
１ｂ          第１変形部品
１ｃ          第１傘歯車
２ａ          第２可動部品
２ｂ          第２変形部品
２ｃ          第２傘歯車
３            発電機
４            ボックス
５            ホルダ
６            シャフト
７ａ          歯
７ｂ          歯
ｃ１、ｃ２    中心軸
ｐ            突起部
【図１Ａ】
2017142048.tif 000003
【図１Ｂ】
2017142048.tif 000004
【図２Ａ】
2017142048.tif 000005
【図２Ｂ】
2017142048.tif 000006
【図３Ａ】
2017142048.tif 000007
【図３Ｂ】
2017142048.tif 000008
【図４Ａ】
2017142048.tif 000009
【図４Ｂ】
2017142048.tif 000010
【国際調査報告】
2017142048.tif 000011
2017142048.tif 000012